(57)【要約】【課題】建物ユニットの保管又は輸送に際し、熱による部材の変形を抑制することができる建物ユニットの保護カバーを提供する。【解決手段】保護カバー４０は、建物ユニット２０を覆うためのカバー部材４１を備えている。カバー部材４１は、建物ユニット２０の上面を覆う天井シート部４１ａと、建物ユニット２０の各側面を覆う４つの側面シート部４１ｂとを備えている。カバー部材４１の各側面シート部４１ｂには、カバー内空間４５を外部と連通させる換気開口部４７が設けられている。カバー部材４１には、各換気開口部４７の外側にそれぞれフード４９が設けられている。フード４９は、カバー部材４１の外側から開放可能とされている。カバー部材４１には、換気開口部４７を介してカバー内空間４５を換気する換気装置を着脱自在に取り付けるための取付部材が設けられている。【選択図】図２
2011144547.tif 000002
【特許請求の範囲】
【請求項１】
建物ユニットの保管又は輸送に際し、前記建物ユニットを覆って保護するカバー部材を備える建物ユニットの保護カバーであって、
前記カバー部材は、前記建物ユニットの各側面をそれぞれ覆う複数の側面シート部を有し、
それら側面シート部の少なくともいずれかには、前記カバー部材により囲まれたカバー内空間を外部と連通させる開口部が設けられ、
前記開口部には、外側に開き動作可能なフード部が設けられていることを特徴とする建物ユニットの保護カバー。
【請求項２】
前記複数の側面シート部のうち少なくとも隣り合う二つの側面シート部に、それぞれ前記開口部が設けられていることを特徴とする請求項１に記載の建物ユニットの保護カバー。
【請求項３】
前記複数の側面シート部のうちいずれかには同一の側面シート部に、前記開口部が複数設けられていることを特徴とする請求項１又は２に記載の建物ユニットの保護カバー。
【請求項４】
前記複数の側面シート部に複数の開口部が設けられ、それら複数の開口部のうちいずれかが前記側面シート部の上部に配置され、いずれかが前記側面シート部の下部に配置されていることを特徴とする請求項１乃至３のいずれか一項に記載の建物ユニットの保護カバー。
【請求項５】
前記複数の側面シート部に複数の開口部が設けられ、それら複数の開口部のうちいずれか二つの開口部が、前記カバー部材の平面視において略対角となる位置関係で配置されていることを特徴とする請求項１乃至４のいずれか一項に記載の建物ユニットの保護カバー。
【請求項６】
前記カバー部材には、前記カバー内空間を前記開口部を介して換気するファン装置を当該カバー部材に対して着脱自在に取り付けるための取付部材が設けられていることを特徴とする請求項１乃至５のいずれか一項に記載の建物ユニットの保護カバー。
【請求項７】
前記カバー部材の外側、又は前記カバー部材の上端部に被せられるキャップカバーの外側には、太陽光が照射されることにより発電を行う太陽光パネルが設けられ、
前記ファン装置は、前記太陽光パネルにより発電された電力によって作動することを特徴とする請求項６に記載の建物ユニットの保護カバー。
【請求項８】
前記カバー内空間の温度を検知するカバー内温検知手段と、
前記カバー内温検知手段により検知された前記カバー内空間の温度が所定温度以上になった場合に、前記ファン装置を作動させるファン作動手段と、
を備えることを特徴とする請求項６又は７に記載の建物ユニットの保護カバー。
【発明の詳細な説明】
【技術分野】
【０００１】
本発明は、建物ユニットの保護カバーに関する。
【背景技術】
【０００２】
従来から、建物の一種として、ユニット式建物の存在が知られている。ユニット式建物は、複数の建物ユニットが連結されることで構成される建物である。かかる建物ユニットは、製造工場において製造され、その後屋外等に設けられた所定の保管場所で保管される。そして、建物ユニットは建物の施工時期に合わせて保管場所から施工現場にトラック等で輸送され、施工現場において建物の一部として構築される。また、製造された建物ユニット内には、現地取付用の部材（例えば雨樋等）が積み込まれ、建物ユニットの輸送に際し併せて施工現場に輸送される。
【０００３】
ここで、建物ユニットを保管又は輸送する際には、ビニルシート等の耐水性を有するシート材からなる保護カバーが建物ユニットに被せられる（例えば、特許文献１）。保護カバーは、建物ユニットの保管中又は輸送中に、建物ユニットが雨水により濡れたり汚れたりするのを防止するものである。この保護カバーは、一般に使い回しされており、所定の建物ユニットの保管・輸送に用いられた後回収され、別の建物ユニットの保管・輸送に用いられる。
【先行技術文献】
【特許文献】
【０００４】
【特許文献１】特開２００７−１９１９７１号公報
【発明の概要】
【発明が解決しようとする課題】
【０００５】
ところで、建物ユニットが保護カバーにより覆われている状態では、保護カバーの内側空間、すなわち建物ユニットが収容されている空間が外部と遮断されている。そのため、夏場の昼間等の日射しが強い状況下では建物ユニットの保管又は輸送中に保護カバーの内部空間に熱がこもり、同空間内が高温となることが想定される。その場合、建物ユニットに取り付けられた窓サッシ等の樹脂部材や建物ユニット内に積載された現地施工用の樹脂部材等、比較的耐熱性に劣る部材が熱により変形するおそれがあり、品質上問題となりうる。
【０００６】
本発明は、上記事情に鑑みてなされたものであり、建物ユニットの保管又は輸送に際し、熱による部材の変形を抑制することができる建物ユニットの保護カバーを提供することを主たる目的とするものである。
【課題を解決するための手段】
【０００７】
上記課題を解決すべく、第１の発明の建物ユニットの保護カバーは、建物ユニットの保管又は輸送に際し、前記建物ユニットを覆って保護するカバー部材を備える建物ユニットの保護カバーであって、前記カバー部材は、前記建物ユニットの各側面をそれぞれ覆う複数の側面シート部を有し、それら側面シート部の少なくともいずれかには、前記カバー部材により囲まれたカバー内空間を外部と連通させる開口部が設けられ、前記開口部には、外側に開き動作可能なフード部が設けられていることを特徴とする。
【０００８】
本発明によれば、フード部を外側に開けることで、カバー部材の側面シート部に設けられた開口部を介してカバー内空間を換気することができる。これにより、カバー内空間が高温となるのを抑制することができるため、カバー内空間に収容された建物ユニットの構成部材や建物ユニット内に積み込まれた現地施工用の部材が熱によって変形するのを抑制することができる。
【０００９】
また、フード部により開口部を介して雨水が浸入するのを抑制することができるため、建物ユニットが濡れるのを抑制しつつカバー内空間を換気することができる。
【００１０】
また、複数の側面シート部に複数の開口部を設ければ、それら複数の開口部のうちいずれかを介して外部の空気をカバー内空間に取り込み、いずれかを介してカバー内空間にこもった熱を外部に排出することができる。そのため、カバー内空間を効率よく換気することができる。
【００１１】
第２の発明の建物ユニットの保護カバーは、第１の発明において、前記複数の側面シート部のうち少なくとも隣り合う二つの側面シート部に、それぞれ前記開口部が設けられていることを特徴とする。
【００１２】
ところで、建物ユニットには予め製造工場において外壁パネル等の壁パネルが取り付けられるが、壁パネルの取付位置は建物ユニットごとに異なる。例えば、ある建物ユニットについては２面（２つの側面）に壁パネルが取り付けられる一方、ある建物ユニットについては３面に壁パネルが取り付けられる。そこで、本発明ではその点に着目し、カバー部材の各側面シート部のうち少なくとも隣り合う二つの側面シート部にそれぞれ開口部を設けている。この場合、建物ユニットの３面に壁パネルが取り付けられる等して、建物ユニットの長辺側の側面しか又は短辺側の側面しか開放されていない場合でも、建物ユニットにカバー部材を被せる際に、開口部を上記開放された側面に合わせて配置することができる。つまり、壁パネルにより開口部が塞がれるのを回避しつつカバー部材を建物ユニットに被せることができる。これにより、壁パネルの設置状態の異なる種々の建物ユニットに対してカバー部材を被せた状態でのカバー内空間の換気が可能となるため、カバー部材が種々の形態の建物ユニットに使い回しされても、その都度上記第１の発明の効果を得ることができる。
【００１３】
また、１面又は２面にのみ外壁パネルが設けられている建物ユニットにカバー部材を被せる場合には、少なくとも二つの開口部を建物ユニットの開放された側面に配置することができる。この場合、一方を吸気口として他方を排気口として使用することができるため、カバー内空間を好適に換気することができる。
【００１４】
第３の発明の建物ユニットの保護カバーは、第１又は第２の発明において、前記複数の側面シート部のうちいずれかには同一の側面シート部に、前記開口部が複数設けられていることを特徴とする。
【００１５】
本発明によれば、建物ユニットの３面に壁パネルが取り付けられる等して、建物ユニットの長辺側の側面しか又は短辺側の側面しか開放されていない場合でも、建物ユニットにカバー部材を被せる際に、複数の開口部が設けられた側面シート部をその開放された側面に合わせて配置することができる。そのため、かかる場合でも、それら複数の開口部のうちいずれかを吸気口としいずれかを排気口としてカバー内空間を換気することができるため、カバー内空間の熱を好適に外部に排出することができる。
【００１６】
第４の発明の建物ユニットの保護カバーは、第１乃至第３のいずれかの発明において、前記複数の側面シート部に複数の開口部が設けられ、それら複数の開口部のうちいずれかが前記側面シート部の上部に配置され、いずれかが前記側面シート部の下部に配置されていることを特徴とする。
【００１７】
ところで暖かい空気は冷たい空気よりも比重が小さく上昇しやすいため、カバー内空間における熱気は同空間の上部に偏ることが考えられる。そこで、本発明では、その点に着目し、複数の側面シート部に設けられた各開口部のうち、いずれかを側面シート部の上部に配置しいずれかを側面シート部の下部に配置している。この場合、側面シート部の下部に配置した開口部を介して外気をカバー内空間に取り込むとともに、側面シート部の上部に配置した開口部を介してカバー内空間の上部に溜まる熱気を外部に排出することができる。そのため、カバー内空間の熱を効率よく排出することができる。
【００１８】
第５の発明の建物ユニットの保護カバーは、第１乃至第４のいずれかの発明において、前記複数の側面シート部に複数の開口部が設けられ、それら複数の開口部のうちいずれか二つの開口部が、前記カバー部材の平面視において略対角となる位置関係で配置されていることを特徴とする。
【００１９】
本発明によれば、カバー部材の平面視において略対角となる位置関係で配置された二つの開口部を用いてカバー内空間を換気することができる。具体的には、それら各開口部のうち一方を吸気口として他方を排気口として換気することができる。この場合、カバー内空間において対角方向に風を通すことができるため、カバー内空間のほぼ全域を換気することができる。これにより、カバー内空間の温度上昇をより一層抑制することができる。
【００２０】
第６の発明の建物ユニットの保護カバーは、第１乃至第５のいずれかの発明において、前記カバー部材には、前記カバー内空間を前記開口部を介して換気するファン装置を当該カバー部材に対して着脱自在に取り付けるための取付部材が設けられていることを特徴とする。
【００２１】
本発明によれば、カバー部材に設けられた取付部材に対してファン装置を取り付けることができる。この場合、ファン装置を作動させることでカバー内空間を開口部を介して強制換気することができるため、カバー内空間にこもった熱を外部に効率よく排出することができる。これにより、カバー内空間が高温となるのを抑制する効果を高めることができるため、ユニット部材が熱により変形するのをより一層抑制することができる。
【００２２】
また、カバー部材に設けられた複数の開口部に対して取付部材を設ければ、カバー内空間を換気する際に換気口として用いる開口部に合わせてファン装置を設置することができる。これにより、種々の形態の建物ユニットにおいて本発明の効果を得ることができる。
【００２３】
第７の発明の建物ユニットの保護カバーは、第６の発明において、前記カバー部材の外側、又は前記カバー部材の上端部に被せられるキャップカバーの外側には、太陽光が照射されることにより発電を行う太陽光パネルが設けられ、前記ファン装置は、前記太陽光パネルにより発電された電力によって作動することを特徴とする。
【００２４】
本発明によれば、カバー部材の外側又はキャップカバーの外側に設けられる太陽光パネルにより発電された電力によってファン装置を作動させることができるため、ファン装置を作動させるにあたって外部電力の使用を低減又は削減することができる。これにより、省エネを図りつつ上記第１の発明の効果を得ることができる。また、太陽光パネルによる発電量は、日射量が多い場合に、換言すると例えばカバー部材等が強い日射を受けカバー内空間が高温となり易い場合に増大するため、カバー内空間の換気が必要な際にファン装置に対し十分な電力供給を行うことができる。そのため、カバー内空間を換気するにあたって都合がよい。
【００２５】
第８の発明の建物ユニットの保護カバーは、第６又は第７の発明において、前記カバー内空間の温度を検知するカバー内温検知手段と、前記カバー内温検知手段により検知された前記カバー内空間の温度が所定温度以上になった場合に、前記ファン装置を作動させるファン作動手段と、を備えることを特徴とする。
【００２６】
本発明によれば、カバー内空間の温度が所定温度以上になった場合にファン装置が作動を開始するため、例えばカバー内空間の温度が建物ユニットの構成部材の耐熱温度付近まで上昇した場合にカバー内空間の換気を自動で開始させることができる。これにより、ユニット部材等が熱により変形するのを抑制するにあたって利便性を高めることができる。
【図面の簡単な説明】
【００２７】
【図１】建物ユニットを示す斜視図。
【図２】建物ユニットに保護カバーを被せた状態を示す斜視図。
【図３】（ａ）がフードが開かれた状態を示す斜視図、（ｂ）がフードが閉じられた状態を示す斜視図。
【図４】換気装置の構成を示す縦断面図。
【図５】保護カバーに設けられた換気システムの電気的構成を示す図。
【図６】（ａ）が建物ユニットに保護カバーが被せられた状態を示す平面図、（ｂ）が同状態を示す側面図。
【図７】別例における建物ユニットに保護カバーを被せた状態を示す平面図。
【図８】別例における換気ファンの取付構成を示す正面図。
【図９】別例におけるフードの構成を示す斜視図。
【図１０】カバー部材にキャップが被せられた保護カバーを示す斜視図。
【図１１】フードに太陽光パネルを設置した場合を示す斜視図。
【発明を実施するための形態】
【００２８】
以下、本発明を具体化した一実施形態を図面に基づいて説明する。本実施形態では、隣り合う２つの側面に外壁パネルが取り付けられた建物ユニットに本発明の保護カバーを被せ同ユニットを保護することを想定している。そこで、保護カバーについての説明をするのに先立って、まず本実施形態の建物ユニットについて図１に基づいて説明する。なお、図１は、建物ユニットを示す斜視図である。
【００２９】
図１に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。
【００３０】
建物ユニット２０の長辺部の相対する天井大梁２２の間には、所定間隔で複数の天井小梁２４が架け渡されている。同じく建物ユニット２０の長辺部の相対する床大梁２３の間には、所定間隔で複数の床小梁２５が架け渡されている。これら各天井小梁２４の下面には、天井材２７が支持されており、これら各床小梁２５上には、床材２８（図６参照）が支持されている。
【００３１】
建物ユニット２０の側面には、外壁パネル３１や内壁パネル（図示略）が設けられている。本実施形態では、建物ユニット２０における隣り合う２つの側面に外壁パネル３１が設けられており、そのうち建物ユニット２０の長辺側の側面（桁面）に設けられた外壁パネル３１には、窓部３２が設けられている。窓部３２には、当該窓部３２を開閉するガラス戸３３が設けられている。ガラス戸３３は、枠体としての窓サッシ３３ａにガラス板３３ｂが嵌め込まれることで構成されており、本実施形態では、窓サッシ３３ａが、窓部３２における断熱性を図るべく塩化ビニル樹脂により形成されている。
【００３２】
次に、建物ユニット２０の保管又は輸送に際し、建物ユニット２０に被せられ同ユニット２０を保護するための保護カバー４０について図２に基づいて説明する。なお、図２は、建物ユニット２０に保護カバー４０を被せた状態を示す斜視図である。
【００３３】
図２に示すように、保護カバー４０は、建物ユニット２０を覆うためのカバー部材４１を備えている。カバー部材４１は、防水性を有するシート材により形成されており、例えばポリエチレン樹脂からなる。カバー部材４１は、矩形状に形成された天井シート部４１ａと、天井シート部４１ａにおける各辺の端縁部からそれぞれ下方に垂下された４つの側面シート部４１ｂとを備えている。カバー部材４１は、建物ユニット２０の大きさに合わせて形成されており、詳細には天井シート部４１ａが建物ユニット２０の上面（平面視における大きさ）とほぼ同じ大きさ（縦横寸法）で形成され、各側面シート部４１ｂがそれぞれ建物ユニット２０の側面（詳細には長辺側の側面及び短辺側の側面）とほぼ同じ大きさ（縦横寸法）で形成されている。
【００３４】
カバー部材４１における隣り合う各側面シート部４１ｂの境界部には、同境界部に沿ってファスナ４３が設けられている。ファスナ４３は、隣り合う各側面シート部４１ｂ同士を接合及び切り離しするためのものであり、チャック式の線ファスナからなる。このファスナ４３により隣り合う各側面シート部４１ｂが接合されることで、カバー部材４１は全体として下側が開口する直方体状に形成される。以下の説明では、このカバー部材４１により囲まれた内側空間をカバー内空間４５という。
【００３５】
上記のように構成されたカバー部材４１は、天井シート部４１ａが建物ユニット２０の上面側に配置され、各側面シート部４１ｂが建物ユニット２０の側面側に配置された状態で、建物ユニット２０に被せられる。このようにカバー部材４１が被せられた状態で建物ユニット２０は保管又は輸送される。
【００３６】
ところで、カバー部材４１により囲まれたカバー内空間４５は外部から遮断されているため、夏場の昼間等日射しが強い状況下では、建物ユニット２０の保管中又は輸送中にカバー内空間４５に熱がこもり同空間４５内が高温となることが想定される。その場合、その熱によってカバー内空間４５に収容された建物ユニット２０の構成部材が熱変形を起こすおそれがある。具体的には、例えば耐熱性に劣るガラス戸３３の窓サッシ３３ａ等の部材が熱変形を起こすおそれがある。そこで、本実施形態では、カバー部材４１にカバー内空間４５を換気するための換気開口部を設けるとともに、その換気開口部に換気装置を設置できるようにしている。この場合、換気装置により換気開口部を介してカバー内空間４５を換気することで、同空間４５の温度上昇を抑制することができるため窓サッシ３３ａの熱変形を抑制することができる。本実施形態はその点に特徴を有しており、以下その詳細について図２に加え図３及び図４を参照しつつ説明する。なお、図３は、フードの構成を示す斜視図であり、（ａ）がフードが開いた状態を示し、（ｂ）が換気カバーが閉じた状態を示している。また、図４は換気装置周辺の構成を示す縦断面図である。
【００３７】
図２に示すように、カバー部材４１の各側面シート部４１ｂには、カバー内空間４５を外部と連通させる換気開口部４７が設けられている。換気開口部４７は、各側面シート部４１ｂにそれぞれ二つずつ設けられており、各々の側面シート部４１ｂにおいて一方（以下、上側開口部４７ａという）が側面シート部４１ｂの上部に配置されているのに対し他方（以下、下側開口部４７ｂという）が側面シート部４１ｂの下部に配置されている。具体的には、上側開口部４７ａが側面シート部４１ｂの上端部付近に配置され、下側開口部４７ｂが側面シート部４１ｂの下端部付近に配置されている。但し、上側開口部４７ａは天井大梁２２よりも下方に配置され、下側開口部４７ｂは床大梁２３よりも上方に配置されている。
【００３８】
また、各側面シート部４１ｂにおいて、上側開口部４７ａが側面シート部４１ｂを正面に見て左側に配置されており、下側開口部４７ｂが右側に配置されている。より詳細には、各側面シート部４１ｂにおいて、上側開口部４７ａが側面シート部４１ｂの左端付近に配置され、下側開口部４７ｂが側面シート部４１ｂの右端付近に配置されている。したがって、長辺側の側面シート部４１ｂに設けられた上側開口部４７ａと、短辺側の側面シート部４１ｂに設けられた下側開口部４７ｂとが、カバー部材４１の平面視において略対角位置に配置されている。
【００３９】
各換気開口部４７には、それぞれメッシュフィルタ４８が設けられている。メッシュフィルタ４８は、例えば樹脂からなる線材が網目状に織られることにより構成されている。これにより、雨水が換気開口部４７を通じてカバー内空間４５に浸入するのを抑制できるようになっている。
【００４０】
カバー部材４１には、各換気開口部４７の外側にそれぞれフード４９が設けられている。フード４９は、カバー部材４１の外側から開放可能とされている。図３（ａ）に示すように、フード４９は、換気開口部４７の上方からカバー部材４１の外側に延びる庇部４９ａと、庇部４９ａの幅方向両端部に設けられた一対の伸縮部４９ｂとを有している。庇部４９ａは、その上端部が側面シート部４１ｂにおける換気開口部４７の上縁部（やや上方）に固定されており、カバー部材４１の外側に開くことができる。庇部４９ａは、開状態では外側に向かって下方傾斜している。
【００４１】
各伸縮部４９ｂはそれぞれ、庇部４９ａの幅方向端部と側面シート部４１ｂにおける換気開口部４７の側縁部とを繋ぐように設けられている。伸縮部４９ｂは、蛇腹状に形成されており、フード４９（庇部４９ａ）の開閉に伴って庇部４９ａの動作方向に伸縮する構成となっている。フード４９が開いた状態では、フード４９は下側のみが開放された状態となっている。この場合、換気開口部４７を通じて雨水が浸入するのを抑制することができる。
【００４２】
一方、図３（ｂ）に示すように、フード４９が閉じられた状態では、伸縮部４９ｂが縮められて、庇部４９ａにより換気開口部４７が閉鎖される。つまり、本実施形態では、フード４９がフードとしての機能を有する他に、換気開口部４７を開閉する機能を有している。庇部４９ａの幅方向両端部には（詳細には側面シート部４１ｂにおける上記両端部との境界部にも）それぞれ各端部に沿ってファスナ５２が設けられている。このファスナ５２は、庇部４９ａを閉じた状態で庇部４９ａを側面シート部４１ｂに固定するものである。これにより、建物ユニット２０の保管中に風等の影響でフード４９が開くのを防止することができる。そのため、未使用の換気開口部４７を通じて雨水等がカバー内空間４５に浸入するのを防止することができる。
【００４３】
図４に示すように、カバー部材４１には、換気開口部４７を介してカバー内空間４５を換気する換気装置５５を着脱自在に取り付けるための取付部材５４が設けられている。本実施形態では、この取付部材５４が各換気開口部４７に対応して設けられており、いずれの換気開口部４７に対しても換気装置５５を取り付けられるようになっている。
【００４４】
取付部材５４は、換気開口部４７の幅方向に延びる軸部材により形成されている。取付部材５４は、カバー部材４１の側面シート部４１ｂにおいて換気開口部４７の上縁部に設けられ、例えばその軸方向の両端部がそれぞれ側面シート部４１ｂに固定されている。
【００４５】
取付部材５４には、換気装置５５が取り付けられている。換気装置５５は、フード４９が開かれた状態において、庇部４９ａと換気開口部４７（詳細にはメッシュフィルタ４８）との間に挟まれた状態で設けられている。換気装置５５は、ファン装置としての排気ファン５６と、排気ファン５６を一体に支持する支持部材５７とを備えている。排気ファン５６は、カバー内空間４５の空気を換気開口部４７を介して外部に排出するものである。
【００４６】
支持部材５７は、排気ファン５６が固定されている固定板部５８と、固定板部５８の上端部に設けられたフック部５９とを備えている。固定板部５８は、排気ファン５６の幅方向両端部から排気側（詳しくは排気ファン５６により排出される空気が流れる側）に延びるとともに排気ファン５６が固定された一対の側板部５８ａと、これら各側板部５８ａ同士を繋ぐとともに排気ファン５６の排気側に設けられた傾斜板部５８ｂとを有している。傾斜板部５８ｂは、排気ファン５６の排気側に向かって下方傾斜しており、この傾斜板部５８ｂの外側面にフード４９の庇部４９ａが支持されている。つまり、傾斜板部５８ｂによりフード４９の開状態が保持される構成となっている。
【００４７】
フック部５９は、取付部材５４に取り付けられるものであり、取付部材５４に対し引っ掛け可能となっている。このフック部５９が取付部材５４に引っ掛けられることにより換気装置５５がカバー部材４１に取り付けられるようになっている。
【００４８】
換気装置５５の取付状態において、排気ファン５６は換気開口部４７の正面に配置される。ここで、排気ファン５６が作動すると、カバー内空間４５の空気が換気開口部４７を介して支持部材５７の内側空間に入り、同部材５７の下端部に形成された開口より外部に排出される。
【００４９】
図２の説明に戻り、カバー部材４１の天井シート部４１ａの上面には、太陽光が照射されることにより太陽光発電を行う太陽光パネル６１が設けられている。本実施形態では、この太陽光パネル６１による発電電力により排気ファン５６を作動させる構成となっている。
【００５０】
カバー部材４１には、カバー内温検知手段及びファン作動手段としての温度センサ６３が設けられている。温度センサ６３は、カバー内空間４５の温度を検知するセンサであり、本実施形態では建物ユニット２０におけるガラス戸３３の窓サッシ３３ａ周辺にテープ等で仮固定されている。本温度センサ６３は、感温リードスイッチからなり、通常時（所定温度以下の温度の検知時）はスイッチを閉状態とし同センサ６３を通じての電流の流れを遮断する一方、所定温度以上の温度を検知するとスイッチを開状態とし同センサ６３を通じての電流の流れを許可する構成となっている。本実施形態では、上記所定温度が窓サッシ３３ａの材料である塩化ビニルの耐熱温度よりも若干低めの温度（例えば５５℃）に設定されている。
【００５１】
次に、本保護カバー４０に設けられた換気システムの電気的構成について図５に基づいて説明する。
【００５２】
図５に示すように、保護カバー４０において、太陽光パネル６１には電力線６５が接続されており、その電力線６５には温度センサ６３が設けられている。電力線６５には、複数の分岐電力線６６が接続されており、それら各分岐電力線６６にはそれぞれカバー側コネクタ６７が接続されている。カバー側コネクタ６７は、排気ファン５６と電気的に接続するためのコネクタである。カバー側コネクタ６７は、カバー部材４１の各換気開口部４７の周辺に設けられ、カバー部材４１の外側から接続可能とされている。
【００５３】
排気ファン５６には、ケーブル６８を介してファン側コネクタ６９が接続されている。このファン側コネクタ６９は上記カバー側コネクタ６７と接続可能とされている。ここで、これら各コネクタ６７，６９同士が接続された状態において、温度センサ６３により所定温度以上の温度が検知されると、太陽光パネル６１と排気ファン５６とが電力線６５等を介して電気的に接続される。これにより、太陽光パネル６１による発電電力が排気ファン５６に供給され、排気ファン５６が作動する。つまり、排気ファン５６によるカバー内空間４５の換気が行われる。一方、温度センサ６３により所定温度よりも低い温度が検知されると、太陽光パネル６１と排気ファン５６との接続が遮断される。これにより、太陽光パネル６１による排気ファン５６への電力供給が停止され、排気ファン５６の作動が停止する。つまり、排気ファン５６によるカバー内空間４５の換気が停止する。
【００５４】
次に、上記構成の保護カバー４０を用いて建物ユニット２０を保管又は輸送する際の手順について説明する。なお、図６は、（ａ）が建物ユニット２０に保護カバー４０が被せられた状態を示す平面図であり、（ｂ）が同状態を示す側面図である。なお、図６では、便宜上太陽光パネル６１の図示を省略している。
【００５５】
ここでは、上述したように隣り合う二つの側面に外壁パネル３１が取り付けられた建物ユニット２０について例示しており、建物ユニット２０内には現地施工用の取付部材が積み込まれている。
【００５６】
この建物ユニット２０にカバー部材４１を被せる作業を行う。この作業は、カバー部材４１のファスナ４３を開けた状態で行う。カバー部材４１を建物ユニット２０に被せた後、側面シート部４１ｂを捲り上げてカバー内空間４５に収容された建物ユニット２０内に入る。そして、温度センサ６３をガラス戸３３の窓サッシ３３ａ周辺にテープ等を用いて固定する。その後、カバー内空間４５の外に出てファスナ４３を閉める。これにより、建物ユニット２０がカバー部材４１により覆われる。なお、この時点では、各換気開口部４７がフード４９により閉鎖されている。
【００５７】
次に、カバー部材４１に設けられた換気開口部４７を開放させる作業を行う。ここではその作業手順を説明する前に、まずカバー部材４１に設けられた複数の換気開口部４７のうちいずれを開放させるかについて説明する。図６（ａ）に示すように、カバー部材４１が被せられた建物ユニット２０の各側面のうち、外壁パネル３１が取り付けられていない二つの側面については梁材２２，２３のみが存在し、上下の梁材２２，２３間は開放されている。そこで、本実施形態では、カバー部材４１の各側面シート部４１ｂのうち、外壁パネル３１が設置されていない側（以下、開放側という）の側面シート部４１ｂに設けられた換気開口部４７を開放させる。これにより、換気開口部４７を介してカバー内空間４５が（ひいては建物ユニット２０のユニット内空間が）カバー外部と連通される。具体的には、開放側に配置された隣り合う二つの側面シート部４１ｂのうち、長辺側の側面シート部４１ｂにおいて上側開口部４７ａを開放させ、短辺側の側面シート部４１ｂにおいて下側開口部４７ｂを開放させる。この場合、開放された上側開口部４７ａと下側開口部４７ｂとは、カバー部材４１の平面視において略対角の位置関係となる。
【００５８】
次に、対角位置に配置された上記二つの換気開口部４７を開放させる際の作業内容について説明する。この作業では、まず下側開口部４７ｂ側のフード４９を固定しているファスナ５２を開け、フード４９を開く。そして、フード４９を開いた状態で、例えば（下側開口部４７ｂ側の）取付部材５４に支持部材５７のみを取り付ける。これにより、下側開口部４７ｂが開放される。
【００５９】
次に、下側開口部４７ｂ側と同様に、上側開口部４７ａ側についてもフード４９を開く。そして、開いた状態で（上側開口部４７ａ側の）取付部材５４に換気装置５５を取り付ける。これにより、上側開口部４７ａが開放されるとともに換気装置５５が所定位置に設置される。その後、換気装置５５に設けられたファン側コネクタ６９をカバー部材４１に設けられたカバー側コネクタ６７に接続する。以上で、保護カバー４０により建物ユニット２０を保護するための一連の作業が終了する。
【００６０】
次に、保護カバー４０が被せられた建物ユニット２０を屋外に設けられた所定の保管場所に移動させる作業を行う。この作業は、フォークリフト等を用いて行われる。保管場所では、太陽光パネル６１に太陽光が照射されると同パネル６１により太陽光発電が行われる。そして、カバー内空間４５の温度が所定温度以上まで上昇すると、排気ファン５６がその電力により作動する。これにより、カバー内空間４５が換気開口部４７を通じて換気されるため、カバー内空間４５の温度上昇が抑制される。
【００６１】
建物ユニット２０は所定期間保管された後、トラックにより施工現場に搬送される。この輸送中においても、カバー内空間４５が所定温度以上になると排気ファン５６によりカバー内空間４５の換気が行われる。施工現場では、保護カバー４０を建物ユニット２０から取り外し、その後建物ユニット２０を所定の設置位置に設置する。取り外した保護カバー４０は、他の建物ユニット２０の保管・輸送に際し再利用するため回収する。
【００６２】
以上、詳述した本実施形態の構成によれば、以下の優れた効果が得られる。
【００６３】
カバー部材４１の側面シート部４１ｂに複数の換気開口部４７を設け、換気開口部４７には開き動作可能なフード４９を設けた。この場合、フード４９を開けることで、換気開口部４７を介してカバー内空間４５を換気することができる。例えば、下側開口部４７ｂを介して外気を取り込み、上側開口部４７ａを介してカバー内空間４５にこもった熱を外部に排出することができる。これにより、カバー内空間４５が高温となるのを抑制することができるため、カバー内空間４５に収容された建物ユニット２０の構成部材や建物ユニット２０内に積み込まれた現地施工用の部材が熱により変形するのを抑制することができる。
【００６４】
具体的には、各側面シート部４１ｂにそれぞれ換気開口部４７を設けた。この場合、建物ユニット２０の３面に外壁パネル３１が取り付けられる等して、建物ユニット２０の長辺側の側面しか又は短辺側の側面しか開放されていない場合でも、建物ユニット２０にカバー部材４１を被せる際に、換気開口部４７を上記開放された側面に合わせて配置することができる。つまり、外壁パネル３１により換気開口部４７が塞がれるのを回避しつつカバー部材４１を建物ユニット２０に被せることができる。これにより、外壁パネル３１の設置状態の異なる種々の建物ユニット２０に対してカバー部材４１を被せた状態でのカバー内空間４５の換気が可能となるため、カバー部材４１が種々の形態の建物ユニット２０に使い回しされても、その都度上記の効果を得ることができる。
【００６５】
より詳しくは、各側面シート部４１ｂにそれぞれ二つずつ換気開口部４７を設けた。これにより、建物ユニット２０の３面に壁パネルが取り付けられる等して、建物ユニット２０の長辺側の側面しか又は短辺側の側面しか開放されていない場合でも、その開放された側面の側に二つの換気開口部４７を配置することができる。そのため、かかる場合でも、それら二つの換気開口部４７のうち一方を吸気口とし他方を排気口としてカバー内空間４５を換気することができるため、カバー内空間４５の熱を好適に外部に排出することができる。
【００６６】
各側面シート部４１ｂにそれぞれ設けた二つの換気開口部４７のうち、上側開口部４７ａを側面シート部４１ｂの上部に配置し、下側開口部４７ｂを側面シート部４１ｂの下部に配置した。この場合、下側開口部４７ｂを介して外気をカバー内空間４５に取り込むとともに、上側開口部４７ａを介してカバー内空間４５の上部に溜まる熱気を外部に排出することができる。そのため、カバー内空間４５の熱を効率よく排出することができる。
【００６７】
長辺側の側面シート部４１ｂに設けられた上側開口部４７ａと、短辺側の側面シート部４１ｂに設けられた下側開口部４７ｂとを、カバー部材４１の平面視において対角位置に配置した。この場合、当該下側開口部４７ｂを吸気口として当該上側開口部４７ａを排気口として換気を行うことで、カバー内空間４５において対角方向に風を通すことができるため、カバー内空間４５のほぼ全域を換気することができる。これにより、カバー内空間４５の温度上昇をより一層抑制することができる。
【００６８】
カバー内空間４５を換気開口部４７を介して換気する換気装置５５（詳細には排気ファン５６）をカバー部材４１に対し着脱自在に取り付けるための取付部材５４を、カバー部材４１に設けた。この場合、換気装置５５を取付部材５４に取り付けて排気ファン５６を作動させることで、カバー内空間４５を換気開口部４７を介して強制換気することができる。そのため、カバー内空間４５にこもった熱を外部に効率よく排出することができる。これにより、カバー内空間４５が高温となるのを抑制する効果を高めることができるため、ユニット部材が熱により変形するのをより一層抑制することができる。
【００６９】
また、カバー部材４１に設けられた複数の換気開口部４７に対して取付部材５４を設けたため、カバー内空間４５を換気する際に換気口として用いる換気開口部４７に合わせて換気装置５５を設置することができる。これにより、種々の形態の建物ユニット２０に対して、ユニット部材が熱により変形するのをより一層抑制する効果を得ることができる。
【００７０】
また、換気装置５５（排気ファン５６）を取付部材５４に対し着脱自在に取り付ける構成としたことで、冬場等カバー内空間４５を換気する必要がないときには、換気装置５５をカバー部材４１から取り外してカバー部材４１の取り扱いを容易にすることもできる。
【００７１】
カバー部材４１の外側に太陽光パネル６１を設け、その太陽光パネル６１により発電された電力により排気ファン５６を作動させることとした。これにより、排気ファン５６を作動させるにあたって外部電力（商用電力等）の使用を低減又は削減することができるため、省エネを図りつつカバー内空間４５を換気することができる。また、太陽光パネル６１による発電量は日射量が多い場合に、換言すると例えばカバー部材４１が強い日射を受けカバー内空間４５が高温となり易い場合に増大するため、カバー内空間４５の換気が必要な際に排気ファン５６に対し十分な電力供給を行うことができる。そのため、カバー内空間４５を換気するにあたって都合がよい。
【００７２】
各換気開口部４７には、それぞれ各々の換気開口部４７を開閉するフード４９を設けた。これにより、カバー内空間４５を換気するにあたって換気口として使用しない換気開口部４７についてはフード４９により閉鎖しておくことができるため、未使用の換気開口部４７を通じて雨水やごみ等がカバー内空間４５に浸入するのを防止することができる。
【００７３】
カバー内空間４５の温度を検知する温度センサ６３を設け、同センサ６３により所定温度以上の温度が検知された場合に排気ファン５６を作動させるようにした。これにより、カバー内空間４５の温度がガラス戸３３の窓サッシ３３ａの耐熱温度付近まで上昇した場合にカバー内空間４５の換気を自動で開始させることができる。そのため、耐熱性の面で劣る窓サッシ３３ａが熱により変形するのを抑制するにあたって利便性を高めることができる。
【００７４】
カバー部材４１の各側面シート部４１ｂにそれぞれ換気開口部４７を設けるとともに換気装置５５を取り付けるための取付部材５４を設けた。つまり、カバー部材４１の各側面シート部４１ｂに換気機能を設けた。これにより、カバー部材４１を建物ユニット２０に被せる際に、建物ユニット２０における外壁パネル３１が設けられていない側面に換気開口部４７を合わせるといった作業を不要とすることができるため、カバー部材４１を建物ユニット２０に被せる作業を容易とすることができる。
【００７５】
本発明は上記各実施形態に限らず、例えば次のように実施されてもよい。
【００７６】
（１）上記実施形態では、隣り合う二つの側面（つまり２面）に外壁パネル３１が取り付けられた建物ユニット２０に本発明の保護カバー４０を適用したが、１面又は３面に外壁パネル３１が取り付けられた建物ユニット２０等その他の建物ユニット２０に本発明を適用してもよい。図７にはその適用例を示す。なお、図７では、便宜上太陽光パネル６１の図示を省略している。
【００７７】
図７（ａ）に示す建物ユニット７５には、３面に外壁パネル３１が取り付けられている。この場合、カバー部材４１の各側面シート部４１ｂのうち、外壁パネル３１が設けられていない開放側の側面を覆う側面シート部４１ｂに設けられた各換気開口部４７を開放させる。そして、換気装置５５を上側開口部４７ａ側の取付部材５４に対し取り付ける。ここで、排気ファン５６が作動すると、下側開口部４７ｂを介して外部の空気がカバー内空間４５に取り込まれ、上側開口部４７ａを介してカバー内空間４５の空気が外部に排出される。つまり、カバー内空間４５の換気が行われるため、かかる建物ユニット７５においても熱によるユニット部材の変形を抑制することができる。
【００７８】
また、図７（ｂ）に示す建物ユニット７７には、短辺側の１面にのみ外壁パネル３１が取り付けられている。この場合、建物ユニット７７における外壁パネル３１が設けられていない開放側の側面を覆う側面シート部４１ｂが３つあり、例えばそれら３つの側面シート部４１ｂのうち建物ユニット７７の長辺側の側面を覆う一対の側面シート部４１ｂに設けられた各換気開口部４７を開放させる。そして、それら一対の各側面シート部４１ｂのうち、いずれかの側面シート部４１ｂに設けられた各換気開口部４７に対しそれぞれ換気装置５５を取り付ける。ここで、各換気装置５５の排気ファン５６が作動すると、一方の側面シート部４１ｂに設けられた各換気開口部４７を介して外部の空気がカバー内空間４５に取り込まれ、他方の側面シート部４１ｂに設けられた各換気開口部４７を介してカバー内空間４５の空気が外部に排出される。つまり、複数の換気開口部４７を吸気口として、かつ、複数の換気開口部４７を排気口として換気が行われる。この場合、カバー内空間４５を効率よく換気することができるため、熱によるユニット部材の変形をさらに抑制することができる。
【００７９】
（２）上記実施形態では、カバー内空間４５を換気するファン装置として排気ファン５６を用いたが、これに代えて又は加えて、吸気ファンを用いてもよい。例えば、上記実施形態の構成において、上側開口部４７ａ側に排気ファン５６を取り付ける代わりに、下側開口部４７ｂ側に吸気ファンを取り付けることが考えられる。この場合、上記実施形態とほぼ同様の換気を行うことができる。また、上側開口部４７ａ側に取り付けられた排気ファン５６に加え、下側開口部４７ｂ側に吸気ファンを取り付けることが考えられる。この場合、換気効率の向上を図ることができるため、建物ユニット２０の構成部材の熱による変形をより一層抑制することができる。なお、カバー内空間４５を換気するにあたって必ずしもファン装置を用いる必要はなく、換気開口部４７を通じて流れる風等によりカバー内空間４５を換気してもよい。例えば風が強く吹いている場合や建物ユニット２０の輸送中には、換気開口部４７を介してカバー内空間４５に風が通り易いため、ファン装置を用いなくてもカバー内空間４５を換気することができる。
【００８０】
また、上記実施形態では、カバー部材４１に換気装置５５を１つだけ設置し換気を行ったが、カバー部材４１に複数の換気装置５５を設置してもよい。そうすれば、カバー内空間４５の換気効率を高めることができる。なお、換気装置５５の設置数は任意としてよい。
【００８１】
（３）カバー部材４１に排気ファン５６と吸気ファンとの双方を取り付けた場合において、カバー内空間４５の温度が第一温度以上になった場合に、排気ファン５６を作動させ、カバー内空間４５の温度が第一温度よりも高い第二温度以上になった場合に、さらに吸気ファンを作動させるようにしてもよい。ここで、第一温度は例えば６０℃に設定されており、第二温度は例えば６５℃に設定されている。そうすれば、排気ファン５６による換気だけではカバー内空間４５の温度上昇を抑制することができない場合に、吸気ファンを自動で作動させてカバー内空間４５の換気を促進させることができる。これにより、熱によるユニット部材の変形をより確実に抑制することができる。
【００８２】
（４）上記実施形態では、換気装置５５の支持部材５７（詳細にはフック部５９）を取付部材５４に対し引っ掛け可能とすることで、ファン装置としての排気ファン５６をカバー部材４１に対し着脱自在に取り付ける構成としたが、ファン装置を着脱自在に取り付けるための構成は必ずしもこれに限定されない。例えば、図８に示す構成としてもよい。図８に示すように、カバー部材４１には、上記実施形態の取付部材５４に代えて、換気ファン７２を支持するためのホルダ７１が設けられている。ホルダ７１は、全体として上側が開口する略コ字状に形成されており、換気開口部４７を囲むようにしてカバー部材４１の外側面に取り付けられている。ホルダ７１は、コ字状断面を有する複数の長尺材からなり、各長尺材がその開口溝を換気開口部４７側に向けて設けられている。また、ホルダ７１の下端部には、カバー側コネクタ６７が設けられており、ホルダ７１の内側から同コネクタ６７に対し接続可能となっている。カバー側コネクタ６７は、ホルダ７１の幅方向における略中央に配置されている。
【００８３】
ホルダ７１には、ファン装置としての換気ファン７２がホルダ７１の上方から着脱自在に装着される。具体的には、換気ファン７２は、その端部がホルダ７１（長尺材）の溝内に配設された状態でホルダ７１に装着される。その装着状態において、換気ファン７２は換気開口部４７の正面に配置される。換気ファン７２の下端部にはファン側コネクタ６９が設けられている。ファン側コネクタ６９は、換気ファン７２の幅方向における略中央に配置されており、換気ファン７２がホルダ７１に装着されることによりファン側コネクタ６９がカバー側コネクタ６７と接続されるようになっている。
【００８４】
また、換気ファン７２は、ホルダ７１に対して表裏いずれの向きにも取り付け可能であり、取り付けの向きを表裏変更することで換気ファン７２の風向きを変更することができるようになっている。つまり、換気ファン７２を排気ファンとしても吸気ファンとしても用いることができる。この場合、カバー内空間４５を換気するに際し換気の自由度を高めることができるため、種々の建物ユニットに応じた換気を行うにあたって都合がよい。また、カバー側コネクタ６７がホルダ７１の幅方向における略中央に配置され、ファン側コネクタ６９が換気ファン７２の幅方向における略中央に配置されていることから、換気ファン７２を表裏いずれに向けて取り付けても、取り付けとともにコネクタ同士６７，６９を接続することができる。
【００８５】
（５）上記実施形態では、カバー部材４１の各側面シート部４１ｂにそれぞれ換気開口部４７を設けたが、換気開口部４７は必ずしも各側面シート部４１ｂに設ける必要はなく、例えば３つの側面シート部４１ｂにのみ設けてもよい。但し、各側面シート部４１ｂのうち、少なくとも一方の長辺側の側面シート部４１ｂと、少なくとも一方の短辺側の側面シート部４１ｂとに換気開口部４７を設ける必要がある。
【００８６】
また、上記実施形態では、各側面シート部４１ｂに２つずつ換気開口部４７を設けたが、１つずつ設けてもよく、３つ以上ずつ設けてもよい。また、各側面シート部４１ｂにおいて換気開口部４７の数は必ずしも同じである必要はなく、側面シート部４１ｂごとに異なっていてもよい。
【００８７】
さらに、上記実施形態では、側面シート部４１ｂにおいて換気開口部４７を同シート部４１ｂの上側（かつ左側）及び下側（かつ右側）に設けたが、換気開口部４７は側面シート部４１ｂにおいていずれの部位に設けてもよい。但し、換気効率の観点からすると建物ユニット２０の柱や梁等と重ならない位置に設けるのが好ましい。
【００８８】
（６）上記実施形態では、カバー部材４１に設けられた各換気開口部４７に対して取付部材５４を設けたが、これを変更してもよい。例えば各側面シート部４１ｂにおいて上側開口部４７ａのみに取付部材５４を設けてもよい。
【００８９】
（７）上記実施形態では、温度センサ６３としてリードスイッチからなるものを用い、温度センサ６３が所定以上の温度を検知した場合にスイッチを開状態として太陽光パネル６１から排気ファン５６への電力供給を、すなわち排気ファン５６による換気処理を実行する構成としたが、これを変更してもよい。例えば、温度センサとして温度検知機能のみを有するものを用いるとともに、太陽光パネル６１から排気ファン５６への電力供給を許可又は禁止する切替手段と、制御手段としてのコントローラとを設け、温度センサにより所定以上の温度が検知された場合にコントローラが切替手段により上記電力供給を許可する構成としてもよい。この場合においても、カバー内空間４５が所定以上の温度になると排気ファン５６による換気が自動で行われる。
【００９０】
（８）保護カバー４０にブザー等の警報装置を設け、カバー内空間４５の温度が所定温度以上になった場合にその警報装置を鳴らすよう制御してもよい。ここで、所定温度は、例えば温度センサ６３が開状態となる温度よりも高い温度に設定されている。そうすれば、排気ファン５６による換気によってもカバー内空間４５の温度上昇を抑制できない場合にその旨をユーザに報知することができる。そのため、ユーザは換気装置５５の設置数を増やす等してカバー内空間４５の換気を促進させる対処を講じることができる。これにより、窓サッシ３３ａの熱変形をより確実に防止することができる。また、カバー内空間４５の温度が所定温度以上の状態が所定時間以上継続された場合に、警報装置を鳴らすようにしてもよい。
【００９１】
（９）上記実施形態では、換気装置５５の支持部材５７によりフード４９を支えることでフード４９を開状態に保持することとしたが、フード４９を開状態に保持する構成は必ずしもこれに限らない。例えば、図９（ａ）に示すように、フード４９の下端部の開口に沿ってワイヤ７９を取り付けてもよい。この場合、ワイヤ７９によりフード４９の開状態を保持することができる。
【００９２】
また、図９（ｂ）に示すように、カバー部材４１の側面シート部４１ｂにおける換気開口部４７の上方に紐８１の一端を取り付け、その紐８１の他端にはフック８２を設けることが考えられる。この場合、フード４９の開時に紐８１に設けられたフック８２を同フード４９の庇部４９ａの下端に引っ掛けることで、フード４９を開状態に保持することができる。
【００９３】
（１０）上記実施形態では、太陽光パネル６１により発電された電力により排気ファン５６を作動させることとしたが、同パネル６１により発電された電力を用いてフード４９の開閉を行うようにしてもよい。例えば、フード４９を開閉する駆動装置（例えば周知の電動モータ等）をカバー部材４１に設け、その駆動装置に太陽光パネル６１の発電電力を供給することが考えられる。
【００９４】
（１１）図１０に示すように、カバー部材４１の上端部にキャップ８５を設けてもよい。キャップ８５は、防水性を有するシート材よりなり、カバー内空間４５に雨水が浸入するのを抑制するものである。キャップ８５は、カバー部材４１の天井シート部４１ａと略同じ大きさ（縦横寸法）で形成された矩形形状の天井部８５ａと、天井部８５ａの周縁部から下方に垂下された側面部８５ｂとを備え、全体として下側が開口された略直方体状に形成されている。キャップ８５は、天井部８５ａがカバー部材４１の天井シート部４１ａ上に重ねられるとともに、側面部８５ｂがカバー部材４１の側面シート部４１ｂ上端部における外側面に重ねられた状態で、カバー部材４１の上端部に被せられる。ここで、キャップ８５が被せられた状態で、カバー部材４１の上側開口部４７ａはキャップ８５の側面部８５ｂと重複しない高さ位置に設けられている。そのため、かかる構成においても上側開口部４７ａ等を介してカバー内空間４５を換気することが可能となっている。なお、この場合太陽光パネル６１は、例えばキャップ８５の天井部８５ａ上に設置される。
【００９５】
（１２）上記実施形態では、カバー部材４１の天井シート部４１ａ上に太陽光パネル６１を設置したが、太陽光パネル６１は側面シート部４１ｂの外側面等その他の場所に設置してもよい。また、図１１に示すように、フード４９の外側面に設けてもよい。要は太陽光の照射を受ける場所であれば、いずれの場所でもよい。また、太陽光パネル６１をカバー部材４１に対し着脱自在に取り付けてもよい。そうすれば、冬場等カバー内空間４５の換気が不要な場合には、太陽光パネル６１を取り外しておくことができるため保護カバー４０の取り扱いを容易とすることができる。
【００９６】
（１３）太陽光パネル６１により発電された電力を貯えるための蓄電部を保護カバー４０に設けてもよい。そうすれば、建物ユニット２０の保管又は輸送中に曇り等で太陽光の照射量が少なくなっても、蓄電部に貯えた電力を用いて排気ファン５６を作動させカバー内空間４５を換気をすることができる。
【００９７】
また、排気ファン５６を作動させるための電力として必ずしも太陽光パネル６１により発電される電力を用いる必要はなく、その他の電力供給手段により供給される電力を用いてもよい。例えば、建物ユニット２０の保管時には商用電力を用いて給電したり、カバー部材４１に取り付けた２次電池（バッテリ）を用いて給電したりすることが考えられる。また、建物ユニット２０の輸送時にはトラックの車載バッテリから給電することが考えられる。
【符号の説明】
【００９８】
２０…建物ユニット、４０…保護カバー、４１…カバー部材、４１ａ…側面シート部、４５…カバー内空間、４７…開口部としての換気開口部、４９…フード部としてのフード、５４…取付部材、５６…ファン装置としての排気ファン、６１…太陽光パネル、６３…カバー内温検知手段及びファン作動手段としての温度センサ、８５…キャップカバーとしてのキャップ。
【図１】
2011144547.tif 000003
【図２】
2011144547.tif 000004
【図３】
2011144547.tif 000005
【図４】
2011144547.tif 000006
【図５】
2011144547.tif 000007
【図６】
2011144547.tif 000008
【図７】
2011144547.tif 000009
【図８】
2011144547.tif 000010
【図９】
2011144547.tif 000011
【図１０】
2011144547.tif 000012
【図１１】
2011144547.tif 000013